(57)【特許請求の範囲】
【請求項１】
無線信号を受信するように構成された受信機と、
上記受信機によって受信した上記無線信号の受信品質を測定するように構成された測定回路と、
（１）「移動無線通信ネットワークから第１の周波数帯域幅を含むメッセージを受信する」、（２）「受信した無線信号が送信された無線セルから第１の周波数帯域幅を受信する」、（３）「第１の周波数帯域幅を、あり得る最小の帯域幅とする」、の当該（１）〜（３）のうちの少なくとも１つのメカニズムを用いて、第１の周波数帯域幅を決定するように構成された決定回路と、
上記決定回路によって決定された上記第１の周波数帯域幅を用いて第１の測定がおこなわれ、第１の受信品質が決定されるように、上記測定回路を制御するように構成されたコントローラと、を備えており、
上記決定回路は、（１）「移動無線通信ネットワークから第２の周波数帯域幅を含むメッセージを受信する」、（２）「受信した無線信号が送信された無線セルから第２の周波数帯域幅を受信する」、（３）「第２の周波数帯域幅を、あり得る最小の帯域幅とする」、の当該（１）〜（３）のうちの少なくとも１つのメカニズムを用いて、第２の周波数帯域幅を決定するように構成されており、
決定された上記第１の受信品質が第１の受信品質基準を満たしている場合には、上記コントローラは、第１の周波数帯域幅よりも大きい上記決定回路によって決定された上記第２の周波数帯域幅を用いて第２の測定がおこなわれることによって第２の受信品質が決定されるように、上記測定回路を制御するように構成されていることを特徴とする無線通信機器。
【請求項２】
上記コントローラは、複数の無線セルに対して上記第１の測定がおこなわれるように上記測定回路を制御するように構成されていることを特徴とする請求項１に記載の無線通信機器。
【請求項３】
上記コントローラは、複数のキャリア周波数に対して第１の測定がおこなわれ、複数のキャリア周波数のうちの各キャリア周波数の周辺の上記第１の周波数帯域幅を用いて各第１の測定がおこなわれるように、上記測定回路を制御するように構成されていることを特徴とする請求項１に記載の無線通信機器。
【請求項４】
移動無線通信機器であることを特徴とする請求項１に記載の無線通信機器。
【請求項５】
移動無線通信端末であることを特徴とする請求項４に記載の無線通信機器。
【請求項６】
マルチキャリア移動無線通信機器であることを特徴とする請求項４に記載の無線通信機器。
【請求項７】
マルチキャリア周波数分割多重アクセス移動無線通信機器であることを特徴とする請求項６に記載の無線通信機器。
【請求項８】
直交周波数分割多重接続移動無線通信機器であることを特徴とする請求項７に記載の無線通信機器。
【請求項９】
第３世代パートナーシッププロジェクト通信規格に準拠した移動無線通信機器であることを特徴とする請求項４に記載の無線通信機器。
【請求項１０】
ユニバーサルモバイルテレコミュニケーションシステム通信規格に準拠した移動無線通信機器であることを特徴とする請求項９に記載の無線通信機器。
【請求項１１】
上記コントローラは、
上記第２の測定が複数の周波数帯域部分に対して行われて、幾つの当該周波数帯域部分が、受信品質が所定の閾値以上であるかを決定し、且つ、当該受信品質が所定の閾値以上である当該周波数帯域部分の数に基づいて、無線信号を送信した無線セルを適切な無線セルとするように、上記測定回路を制御するように構成されていることを特徴とする請求項１に記載の無線通信機器。
【請求項１２】
上記測定回路による測定結果に関する情報を、別の通信機器に伝送するトランスミッタをさらに備えていることを特徴とする請求項１に記載の無線通信機器。
【請求項１３】
上記別の通信機器がネットワーク通信機器であることを特徴とする請求項１２に記載の無線通信機器。
【請求項１４】
上記測定結果に関する情報は、当該測定結果が関連している、無線セルを示すインデックス情報であることを特徴とする請求項１２に記載の無線通信機器。
【請求項１５】
上記決定回路によって決定される上記第１の周波数帯域幅は、通信システム帯域幅よりも狭いことを特徴とする請求項１に記載の無線通信機器。
【請求項１６】
上記決定回路によって決定される上記第２の周波数帯域幅は、通信システム帯域幅よりも狭いことを特徴とする請求項１に記載の無線通信機器。
【請求項１７】
無線信号を受信する工程と、
（１）「移動無線通信ネットワークから第１の周波数帯域幅を含むメッセージを受信する」、（２）「受信した無線信号が送信された無線セルから第１の周波数帯域幅を受信する」、（３）「第１の周波数帯域幅を、あり得る最小の帯域幅とする」、の当該（１）〜（３）のうちの少なくとも１つのメカニズムを用いて、第１の周波数帯域幅を決定する工程と、
上記第１の周波数帯域幅を決定する工程によって決定された上記第１の周波数帯域幅を用いて、受信品質を決定するための第１の測定をおこなう工程とを含み、
（１）「移動無線通信ネットワークから第２の周波数帯域幅を含むメッセージを受信する」、（２）「受信した無線信号が送信された無線セルから第２の周波数帯域幅を受信する」、（３）「第２の周波数帯域幅を、あり得る最小の帯域幅とする」、の当該（１）〜（３）のうちの少なくとも１つのメカニズムを用いて、上記第１の周波数帯域幅とは異なる第２の周波数帯域幅を決定する工程と、
決定された上記受信品質が受信品質基準を満たしている場合には、上記コントローラは、上記第１の周波数帯域幅よりも大きい上記決定回路によって決定された上記第２の周波数帯域幅を用いて、上記第１の測定とは異なる第２の測定がおこなわれる工程とを、さらに含むことを特徴とする、無線通信機器の受信品質を決定するための方法。
【請求項１８】
測定対象は、複数の無線セルであることを特徴とする請求項１７に記載の方法。
【請求項１９】
複数の無線セルを測定対象とし、各当該測定を、当該複数の無線セルの各々のキャリア周波数の周辺の周波数帯域幅を用いておこなうことを特徴とする請求項１７に記載の方法。
【請求項２０】
上記無線信号は、マルチキャリア移動無線通信伝送に準拠して受信することを特徴とする請求項１７に記載の方法。
【請求項２１】
上記無線信号は、マルチキャリア周波数分割多重アクセス移動無線通信伝送に準拠して受信することを特徴とする請求項２０に記載の方法。
【請求項２２】
上記無線信号は、直交周波数分割多重接続移動無線通信伝送に準拠して受信することを特徴とする請求項２１に記載の方法。
【請求項２３】
上記無線信号は、第３世代パートナーシッププロジェクト通信規格に準拠して受信することを特徴とする請求項１７に記載の方法。
【請求項２４】
上記無線信号は、ユニバーサルモバイルテレコミュニケーションシステム通信規格に準拠して受信することを特徴とする請求項２３に記載の方法。
【請求項２５】
決定される上記周波数帯域幅は、通信システム帯域幅よりも狭いことを特徴とする請求項１７に記載の方法。
【請求項２６】
無線信号を受信するための受信手段と、
上記受信手段によって受信した上記無線信号の受信品質を測定するように構成された測定手段と、
（１）「移動無線通信ネットワークから第１の周波数帯域幅を含むメッセージを受信する」、（２）「受信した無線信号が送信された無線セルから第１の周波数帯域幅を受信する」、（３）「第１の周波数帯域幅を、あり得る最小の帯域幅とする」、の当該（１）〜（３）のうちの少なくとも１つのメカニズムを用いて、第１の周波数帯域幅を決定するための決定手段と、
上記決定手段によって決定された上記第１の周波数帯域幅を用いて第１の測定がおこなわれ、第１の受信品質が決定されるように、上記測定回路を制御するための制御手段と、
を備えており、
上記決定手段は、（１）「移動無線通信ネットワークから第２の周波数帯域幅を含むメッセージを受信する」、（２）「受信した無線信号が送信された無線セルから第２の周波数帯域幅を受信する」、（３）「第２の周波数帯域幅を、あり得る最小の帯域幅とする」、の当該（１）〜（３）のうちの少なくとも１つのメカニズムを用いて、第２の周波数帯域幅を決定するように構成されており、
決定された上記第１の受信品質が第１の受信品質基準を満たしている場合には、上記制御手段は、第１の周波数帯域幅よりも大きい上記決定回路によって決定された上記第２の周波数帯域幅を用いて第２の測定がおこなわれることによって第２の受信品質が決定されるように、上記測定回路を制御するように構成されていることを特徴とする無線通信機器。
【発明の詳細な説明】
【発明の詳細な説明】
【０００１】
〔技術分野〕
本発明の実施形態は、無線電気通信機器、無線通信機器における受信品質の測定方法、およびシグナリング方法に関する。
【０００２】
〔背景〕
広帯域符号分割多元接続（Wideband Code Division Multiple Access; Ｗ−ＣＤＭＡ）に基づく移動無線通信システムであるユニバーサルモバイルテレコミュニケーションシステム（Universal Mobile Telecommunications System; ＵＭＴＳ）は、現在、標準化団体である第３世代パートナーシッププロジェクト（Third Generation Partnership Project; ３ＧＰＰ）によってリエンジニアリングされている。これらの活動は、３ＧＰＰ内においては、ロングタームエボリューション（Long Term Evolution; ＬＴＥ）と称されている。数ある問題の中でもとりわけ、無線インターフェースが新しく問題となってきている。無線インターフェースでは、ＬＴＥに準拠した多重アクセス方法が提供される。これらのアクセス方法は、例えば、ダウンリンク方向へ信号を伝送する（例えば、関連する各ＵＭＴＳ基地局から移動無線端末へ信号を伝送する）ための直交周波数分割多重アクセス（Orthogonal Frequency Division Multiple Access; ＯＦＤＭＡ）、および、アップリンク方向へ信号を伝送する（例えば、移動無線端末から関連する各ＵＭＴＳ基地局へ信号を伝送する）ためのシングルキャリア周波数分割多重アクセス（Single Carrier Frequency Division Multiple Access: ＳＣ−ＦＤＭＡ）などである。ＬＴＥに準拠して提供される無線アクセスネットワークは、次世代ＵＭＴＳ地上無線アクセスネットワーク（Evolved UMTS Terrestrial Radio Access Network; Ｅ−ＵＴＲＡＮ）とも称される。
【０００３】
例えば、移動体通信用グローバルシステム（Global System for Mobile Communication; ＧＳＭ）やＵＭＴＳといった現在の技術から、新技術（例えばＬＴＥ）導入までの一定の移行期間では、例えばＧＳＭ、ＵＭＴＳ、およびＬＴＥといった複数世代の無線インターフェースが同時に運用される。これらの移動無線通信システムにおいては、移動無線ユーザの移動度、および、無線アクセスネットワークによる効率的な無線リソース制御の実施によって、無線通信端末装置（以下ではユーザ装置（User Equipment; ＵＥ）とも称される）が、現在、どの無線セルから信号が受信されているのかを、例えば測定を実施することによって、規則的な間隔でチェックするのが一般的である。これらの測定は、通常は、各無線セルのダウンリンク基準信号に基づいてＵＥによって行われる。例えば、周波数分割二重（Frequency Division Duplex; ＦＤＤ）セルの測定は、ＵＭＴＳ  Ｗ-ＣＤＭＡに準拠して、一次共通パイロットチャネル（Primary Common Pilot Channel; Ｐ−ＣＰＩＣＨ）に基づいて行われる。
【０００４】
ＬＴＥの導入により、無線セル測定の課題は、例えば以下の２つの点に関して、より一層困難になる:
−  さらなる無線インターフェースが導入されるため、既存の無線インターフェースの測定に加えて当該無線インターフェースにおける測定を行う必要がある。これによって測定回数が増える。
−  さらに、ＬＴＥ無線セルが、異なるキャリア周波数のスケーラブル帯域幅において操作されることが可能である。キャリア周波数の位置および用いられる帯域幅は、測定プロセスの開始時点においてＵＥは知らないため、測定がより高価になる。
【０００５】
ＬＴＥ通信接続中、例えば、ダウンリンク伝送方向における多重アクセス方法であるＯＦＤＭＡによって、通信機器（例えばＵＥ）に割り当てられる周波数帯域は、利用可能な全ダウンリンク周波数帯域の一部のみである可能性がある。割り当てられる周波数帯域部分の位置は、動的に割り当てられる。すなわち、割り当ては、ＬＴＥ通信接続中に変化する可能性がある。周波数帯域部分の割り当てにおいては、例えば、特に良好な伝送特性を有する周波数帯域部分が好ましくはＵＥに割り当てられるように、ＬＴＥ通信接続の現在の伝送特性が考慮される場合がある。この方法では、さらなる測定が生じる。これらの測定は、良好な伝送特性を有する周波数帯域部分を決定することができるように、ＬＴＥ通信接続中に行われる必要がある。
【０００６】
〔図面の簡単な説明〕
以下の図面では、通常、同様の参照符号は同一の箇所を示している。これらの図面は、必ずしも互いに相対的な縮尺とはなっておらず、通常は、本発明の原理を示す部分が強調されている。以下の説明では、図面を参照しながら本発明の様々な実施形態について説明する。図面は以下の通りである：
図１は、適切な無線セルを決定するための受信品質測定中における、本発明の一実施形態に係る、無線通信機器と複数の無線セルとを含む無線セル構成を示す図である。
【０００７】
図２は、本発明の一実施形態に係る無線通信端末装置を示す図である。
【０００８】
図３は、本発明の別の実施形態に係る無線通信端末装置を示す図である。
【０００９】
図４は、本発明の一実施形態に係る、ダウンリンク無線信号のフレーム構造を示す図である
図５は、本発明の一実施形態に係る、スケーラブル帯域幅を有する通信システムにおける同期信号および基準信号の位置を示す図である。
【００１０】
図６は、本発明の一実施形態に係る、無線通信機器における受信品質の測定方法のメッセージフローの図である。
【００１１】
図７は、本発明の一実施形態に係る、無線通信機器における受信品質の測定方法のメッセージフローの図である。
【００１２】
図８は、本発明の一実施形態に係る、無線通信機器における第１の測定のための受信ウィンドウを示す図である。
【００１３】
図９は、本発明の一実施形態に係る、無線通信機器における第２の測定のための受信ウィンドウを示す図である。
【００１４】
図１０は、本発明の一実施形態に係る、移動無線セル内における周波数帯域測定のシグナリング方法のメッセージフローの図である。
【００１５】
図１１は、本発明の一実施形態に係る、移動無線セル内における周波数帯域測定のシグナリング方法のメッセージフローの図である。
【００１６】
図１２は、本発明の一実施形態に係る、無線通信機器内における測定のための受信ウィンドウを示す図である。
【００１７】
図１３は、本発明の一実施形態に係る、無線通信機器における受信品質の測定方法のメッセージフロー図である。
【００１８】
図１４は、本発明の一実施形態に係る、移動無線セル内における周波数帯域測定のシグナリング方法のメッセージフローの図である。
【００１９】
〔実施形態〕
本発明の一実施形態における「受信品質」という表現は、例えば以下の意味を表すものと理解される：
−所定信号の受信電力（例えば、いわゆる基準信号受信電力（Reference Signal Received Power; ＲＳＲＰ））、あるいは
−所定信号の受信電力と、同一の周波数帯域において受信したノイズ電力との比（例えば、いわゆる基準信号受信品質（Reference Signal Received Quality; ＲＳＲＱ））。
【００２０】
しかし、本発明の別の一実施形態では、受信信号の品質を示す、その他任意の適切な特性を「受信品質」として用いることができる。
【００２１】
図１は、適切な無線セルを決定するための受信品質の測定中における、本発明の一実施形態に係る無線セル構成１００であって、無線通信端末装置１０２と、複数の無線セル（例えば、第１の境界線１０４によって示されている第１の移動無線セルＭＦＺ１、第２の境界線１０６によって示されている第２の移動無線セルＭＦＺ２、および、第３の境界線１０８によって示されている第３の移動無線セルＭＦＺ３）とを具備する無線セル構成１００を示している。
【００２２】
なお、本発明の実施形態は、図１に示されている移動無線セル構成に限定されるものではなく、本発明の別の一実施形態では、その他任意の無線セル構成において用いることができることを理解されたい。
【００２３】
本発明の一実施形態では、無線セル１０４、１０６、１０８の各々は、１つまたは複数の基地局（例えば、ノードＢとも称される）を有している。すなわち、第１の無線セルは、１つまたは複数の第１の基地局１１０を有することができ、第２の無線セルは、１つまたは複数の第２の基地局１１２を有することができ、第３の無線セルは、１つまたは複数の第３の基地局１１４を有することができる。本発明の一実施形態では、全ての基地局１１０、１１２、１１４は、用いられる各無線通信規格に準拠して、割り当てられた無線セル１０４、１０６、１０８内へ無線信号を伝送する。
【００２４】
本発明の一実施形態では、任意の適切な無線通信規格、例えば任意の適切な移動無線通信規格を、任意に組み合わせて用いることができる。本発明の一実施形態では、無線セル構成１００は、以下の無線通信規格の１つ以上に準拠して構成された通信機器（例えば通信端末装置）を含んでいてよい：
−移動体通信用グローバルシステム（ＧＳＭ）移動無線通信規格、
−第３世代パートナーシッププロジェクト（３ＧＰＰ）移動無線通信規格、例えばユニバーサルモバイルテレコミュニケーションシステム（ＵＭＴＳ）移動無線通信規格、例えばロングタームエボリューション（ＬＴＥ）移動無線通信規格、
−符号分割多元接続（ＣＤＭＡ：Code Division Multiple Access）移動無線通信規格、
−符号分割多元接続２０００（ＣＤＭＡ２０００（登録商標））移動無線通信規格、
−フォーマ（ＦＯＭＡ（登録商標））移動無線通信規格。
【００２５】
本発明の一実施形態では、無線通信端末装置（例えばＵＥ１０２）は、図１に示されている３つ全ての基地局１１０、１１２、１１４、すなわち３つ全ての移動無線セル１０４、１０６、１０８から、無線信号を受信できる領域内に配置されている。言い換えると、無線通信端末装置（例えばＵＥ１０２）は、３つの移動無線セルの受信領域内に配置されている。
【００２６】
本発明の一実施形態では、第１の移動無線セル１０４の第１の基地局１１０、および第２の移動無線セル１０６の第２の基地局１１２は、第１のキャリア周波数ｆ１を用いて信号を伝送する。図１では、第１の移動無線セル１０４の第１の基地局１１０と通信端末装置（例えばＵＥ１０２）との第１の通信接続を第１の矢印１１６として示しており、第２の移動無線セル１０６の第２の基地局１１２と通信端末装置（例えばＵＥ１０２）との第２の通信接続を第２の矢印１１８として示している。言い換えると、本発明の本実施形態においては、第１の基地局１１０および第２の基地局１１２は、いわゆる周波数内（intra-frequency）移動無線セル１０４、１０６の基地局である。さらに、第３の移動無線セル１０８の第３の基地局１１４は、上記第１のキャリア周波数ｆ１とは異なる第２のキャリア周波数ｆ２を信号伝送のために用いて動作される。尚、図１では、第３の移動無線セル１０８の第３の基地局１１４と通信端末装置（例えばＵＥ１０２）との第３の通信接続を第３の矢印１２０によって示している。本発明の本実施形態では、第３の移動無線セル１０８の第３の基地局１１４は、第１の移動無線セル１０４および第２の移動無線セル１０６に関するいわゆる周波数間（inter-frequency）移動無線セルの基地局であると見なされる。
【００２７】
しかし、本発明は、別の実施形態として任意数の異なるキャリア周波数を用いて信号を伝送する、任意数の基地局および任意数の無線セルを具備することも可能である。
【００２８】
図２は、本発明の一実施形態に係る無線通信端末装置１０２を示している。
【００２９】
本発明の一実施形態では、無線通信端末装置１０２は、無線信号（例えば移動無線信号）を受信するための受信機２０２と、当該受信機２０２によって受信した無線信号の受信品質を測定するための測定回路２０４とを備えている。無線通信端末装置１０２はさらに、コントローラ２０６およびメモリ２０８を備えている。コントローラ２０６は、測定回路２０４を制御するように構成することができる。具体的には、コントローラ２０６は、測定回路２０４を制御して、第１の測定が第１の周波数帯域幅を用いて行われ、これによって第１の受信品質が決定され、決定された第１の受信品質が第１の受信品質規準を満たしている場合は、上記第１の周波数帯域幅よりも大きい第２の周波数帯域幅を用いて第２の測定が行われ、これによって第２の受信品質が決定されるように、構成している。メモリ２０８は、１つまたは複数の揮発性メモリおよび／または不揮発性メモリを有することができる。本発明の一実施形態では、メモリ２０８内に、コントローラ２０６のためのプログラムコードを記憶することができる。また、この代わりに、あるいはこれに加えて、メモリ２０８は、無線通信端末装置１０２の動作中に必要とされて生成されるデータを記憶することができるように構成されていてもよい。コントローラ２０６は、例えば配線制御ロジックまたはプログラマブル制御ロジックなどの任意の制御ロジックの類とすることができる。本発明の一実施形態では、コントローラ２０６は、例えばマイクロプロセッサなどのプログラマブルプロセッサとして実行されるものとすることができる。このマイクロプロセッサとは、例えば、複合命令セットコンピュータ（complex instruction set computer; ＣＩＳＣ）プロセッサ、および／または、縮小命令セットコンピュータ（reduced instruction set computer; ＲＩＳＣ）プロセッサが含まれる。無線通信端末装置１０２は、後述する機能に加えて、移動無線通信における従来の全ての機能性を備えるように構成することができる。本発明の一実施形態では、受信機２０２、測定回路２０４、コントローラ２０６、およびメモリ２０８は、電気的接続２１０を介して互いに接続することができる。電気的接続２１０は、例えば、バス相互接続、あるいは、ケーブル配線などのその他任意の種類の接続手段を用いることができる。
【００３０】
さらに、本発明の一実施形態では、コントローラ２０６は、例えば上述した第１の測定を複数の無線セル（例えば複数の移動無線セル）に対して行うように、測定回路２０４を制御するように構成することができる。本発明の一実施形態では、コントローラ２０６は、第１の測定が複数のキャリア周波数に対して行われるように、また、各第１の測定が、上記複数のキャリア周波数の各キャリア周波数の周辺の第１の周波数帯域幅を用いて行われるように、測定回路２０４を制御するように構成することができる。
【００３１】
本発明の別の実施形態では、コントローラ２０６は、決定された第２の受信品質が第２の受信品質規準を満たしている場合は、上記第１の周波数帯域幅よりも大きい第３の周波数帯域幅を用いて第３の測定を行い、これによって第３の受信品質を決定し、以下同様に受信品質が決定されるように、測定回路２０４を制御するように構成することができる。
【００３２】
無線通信端末装置１０２は、マルチキャリア移動無線通信機器（例えば、直交周波数分割多重接続（ＯＦＤＭＡ）移動無線通信機器のようなマルチキャリア周波数分割多重アクセス（ＦＤＭＡ）移動無線通信機器）として構成することができる。本発明の一実施形態では、無線通信端末装置１０２は、上述した無線通信規格のうち任意の無線通信規格に準拠するように構成することができる。例えば、無線通信端末装置１０２は、第３世代パートナーシッププロジェクト通信規格に準拠した移動無線通信機器（例えば、ユニバーサルモバイルテレコミュニケーションシステム通信規格に準拠した移動無線通信機器）として構成することができる。
【００３３】
必要に応じて、無線通信端末装置１０２は、第１の周波数帯域幅を決定するための決定回路２１２をさらに備えていてもよい。決定回路２１２は、電気的接続２１０を介して、他の部品に結合することができる。本発明の一実施形態では、決定回路２１２は、受信した帯域幅シグナリングメッセージを用いて第１の周波数帯域幅を決定するように構成されている。これについては、以下により詳しく説明する。
【００３４】
これについても以下により詳しく説明するが、本発明の一実施形態では、コントローラ２０６は、第２の測定が複数の周波数帯域部分に対して行われ、いくつの周波数帯域部分が所定の周波数帯域部分の受信品質規準を満たしているかを決定するように、測定回路２０４を制御するように構成することができる。無線信号を送信した無線セルは、いくつの周波数帯域部分が所定の周波数帯域部分の受信品質規準を満たしているかに基づいて評価される。
【００３５】
本発明の一実施形態では、無線通信端末装置１０２は、測定結果に関する情報を別の通信機器に伝送するトランスミッタ２１４をさらに備えていてもよい。トランスミッタ２１４は、電気的接続２１０を介して、他の部品に結合することができる。
【００３６】
上記別の通信機器は、例えば移動無線基地局（例えばノードＢ）などのネットワーク通信機器とすることができる。
【００３７】
さらに、測定結果に関する情報としては、当該測定結果が関連している、無線セルを示すインデックス情報とすることができる。
【００３８】
図３は、本発明の別の実施形態に係る無線通信端末装置１０２を示している。
【００３９】
本発明の一実施形態では、無線通信端末装置１０２は、無線信号（例えば移動無線信号）を受信するための受信機３０２と、受信した無線信号の受信品質を決定するための測定回路３０４とを備えている。
【００４０】
本発明のこの実施形態によると、無線通信端末装置１０２は、所定の周波数帯域部分の受信品質規準を満たす複数の周波数帯域部分を決定するための、決定回路３０６をさらに備えていてもよい。
【００４１】
さらに、決定された各周波数帯域部分を示す各周波数帯域部分インデックス上に、決定された各周波数帯域部分をマッピングするためのマッピング回路３０８が備えられていてもよい。
【００４２】
さらに、コントローラ３１０およびメモリ３１２が設けられている。コントローラ３１０は、無線通信端末装置１０２を制御するように構成され、従来の機能性およびさらに説明する機能性を有している。メモリ３１２は、１つまたは複数の揮発性メモリおよび／または不揮発性メモリを備えることができる。本発明の一実施形態では、メモリ３１２内に、コントローラ３１０のためのプログラムコードを記憶することができる。この代わりに、あるいはこれに加えて、無線通信端末装置１０２の動作中に必要とされて生成されるデータを、メモリ３１２に記憶することができる。コントローラ３１０は、例えば配線制御コントロールロジック、またはプログラマブル制御ロジックなどの任意のコントロールロジックの類として動作することができる。本発明の一実施形態では、コントローラ３１０は、例えばマイクロプロセッサ（例えば、複合命令セットコンピュータ（ＣＩＳＣ）プロセッサおよび／または縮小命令セットコンピュータ（ＲＩＳＣ）プロセッサを含む）などの、プログラマブルプロセッサとして実施することができる。無線通信端末装置１０２は、後述する機能に加えて、移動無線通信における従来の全ての機能性を備えるように構成することができる。本発明の一実施形態では、受信機３０２、測定回路３０４、決定回路３０６、マッピング回路３０８、コントローラ３１０、およびメモリ３１２は、電気的接続３１４を介して互いに接続することができる。電気的接続３１４は、例えば、バス相互接続、あるいは、ケーブル配線などのその他任意の種類の接続であってよい。
【００４３】
本発明の一実施形態では、無線通信端末装置１０２は、決定された周波数帯域部分を示す周波数帯域部分インデックスを伝送するためのトランスミッタ３１６をさらに備えていてもよい。トランスミッタ３１６は、電気的接続３１４を介して、他の部品に結合することができる。
【００４４】
無線通信端末装置１０２は、マルチキャリア移動無線通信機器（例えば直交周波数分割多重アクセス（ＯＦＤＭＡ）移動無線通信機器のようなマルチキャリア周波数分割多重アクセス（ＦＤＭＡ）移動無線通信機器）として構成することができる。本発明の一実施形態では、無線通信端末装置１０２は、上述の無線通信規格のうち任意の無線通信規格に準拠するように構成することができる。例えば、無線通信端末装置１０２は、第３世代パートナーシッププロジェクト通信規格に準拠した移動無線通信機器（例えば、ユニバーサルモバイルテレコミュニケーションシステム通信規格に準拠した移動無線通信機器）として構成することができる。
【００４５】
本発明の一実施形態では、決定回路３０６は、受信した無線信号が最高の受信品質を示す所定数の周波数帯域部分を決定するように構成することができる。
【００４６】
上述した実施形態では、ＵＭＴＳ  ＬＴＥ通信システムが備えられているが、本発明の別の一実施形態では、その他任意のマルチキャリア無線通信システムが備えられていてもよい。
【００４７】
図４は、本発明の一実施形態に係る、ダウンリンク無線信号（例えば、ＬＴＥダウンリンク無線信号）のフレーム構造４００を示している。
【００４８】
フレーム構造４００は、ＬＴＥに準拠して備え得る最小の帯域幅に対して示されている。当該帯域幅は、例えば、２つのタイムスロット（例えば、第１のタイムスロット（スロット＃０）４０２および第２のタイムスロット（スロット＃１）４０４）の時間周期に対して１．２５ＭＨｚである。フレーム構造４００は、（ＯＦＤＭシンボルの単位で示されている）時間軸４０６と、（サブキャリアの単位で示されている）周波数軸４０８とを有するダイアグラムにおいて示されている。本発明の一実施形態では、各スロット４０２および４０４において、７つのＯＦＤＭシンボルが伝送される。各ＯＦＤＭシンボルは、キャリア周波数（サブキャリアインデックス０）周辺に対称的に配置することのできる、７２のサブキャリア４１０を含むことができるか、あるいは、これら７２のサブキャリア４１０からなることができる。サブキャリア４１０間の間隔は、約１５ｋＨｚであってよい。本発明の一実施形態では、基準信号は次のように伝送される：時間軸４０６上では、基準信号は、各スロット４０２および４０４の各第１のＯＦＤＭシンボル内および各第５のＯＦＤＭシンボル内（図４において、網掛けされた四角形によって示されている）に配置されている。さらに、周波数軸４０８上では、基準信号は、これらのＯＦＤＭシンボルの６番目毎のサブキャリア内に配置されている。従って、７２のサブキャリアのうち、１２のサブキャリアが、基準信号４１２に対して用いられている。より高い帯域幅を提供する通信システムでは、基準信号の数もまた多くなる。
【００４９】
さらに、本発明の一実施形態では、同期信号４１４および４１６は、インデックス＃０であるスロット４０２の第６のＯＦＤＭシンボル内および第７のＯＦＤＭシンボル内（例えば、一次同期チャネル（Primary Synchronisation Channel; Ｐ−ＳＣＨ）４１４およびニ次同期チャネル（Secondary Synchronisation Channel; Ｓ−ＳＣＨ）４１６）において、例えばキャリア周波数に直接隣接する６２のサブキャリアを用いて、伝送される。（周波数方向における）同期信号４１４および４１６の幅および位置は、通常は、帯域幅がより高い場合であっても不変である。
【００５０】
本発明の一実施形態では、１スロットの周期（例えば０．５ｍｓ）における１２のサブキャリア（例えば１８０ｋＨｚの帯域幅）の構成は、リソースブロックとも称される。
【００５１】
本発明の一実施形態では、ＬＴＥダウンリンク信号には、上述の測定に用いることのできる２つのタイプの信号、すなわち、例えば同期信号４１４、４１６、および基準信号が含まれている。同期信号４１４および４１６は、各第１０のタイムスロットにおいて伝送することができ、キャリア周波数周辺の６つのリソースブロック内に配置されている。これらの基準信号は、各リソースブロック内に含まれている。図５は、異なる通信システム帯域幅におけるこれらの信号の位置を示している。
【００５２】
上述のフレーム構造は、説明されている本発明の実施形態の全てにおいて用いることができる。しかし、本発明の別の一実施形態では、他のパターンの同期信号および基準信号を含んだ他のフレーム構造を用いることができることを理解されたい。本発明のさらに別の実施形態では、用いられるフレーム構造は、（基準信号を含まずに）同期信号のみ、あるいは（同期信号を含まずに）基準信号のみを含んでいてよい。
【００５３】
図５は、ダイアグラム５００において、本発明の一実施形態に係る、スケーラブル帯域幅を有する通信システムにおける同期信号および基準信号の位置を示している。
【００５４】
より詳細には、図５は、２つのタイムスロットの周期のフレーム構造を示している。本発明の一実施形態では、１．２５ＭＨｚのシステム帯域幅に対して第１のフレーム構造５０４が、２．５ＭＨｚのシステム帯域幅に対して第２のフレーム構造５０６が、５ＭＨｚのシステム帯域幅に対して第３のフレーム構造５０８が、１０ＭＨｚのシステム帯域幅に対して第４のフレーム構造５１０が、２０ＭＨｚのシステム帯域幅に対して第５のフレーム構造５１２が備えられている。全てのフレーム構造５０４、５０６、５０８、５１０、および５１２内における同期信号５１４の位置および帯域幅は、各通信システムの帯域幅とは無関係に、キャリア周波数５０２に対して対称である。図５は、全ての無線セルが同一のキャリア周波数５０２を用いた場合を示している。なお、本発明の別の一実施形態では、無線セルは異なるキャリア周波数を用いることができることについて理解されたい。基準信号５１６は、通信システム帯域幅に均一に分配される。基準信号５１６の数は、通信システム帯域幅と共に線形に増加する。２０ＭＨｚのシステム帯域幅に対する第５のフレーム構造５１２の拡大部分５１８は、基準信号５１６の分布を示している。本発明の一実施形態では、基準信号５１６は、示されているパターンに従って、各通信システムのシステム帯域幅全体に分配される。
【００５５】
図６は、本発明の一実施形態に係る、無線通信機器において隣り合う無線セルの受信品質を決定する方法のメッセージフロー図６００を示している。
【００５６】
参照符号６０２では、ＵＥ１０２は、周波数スペクトルの第１の周波数部分（例えばコア領域）内に位置するダウンリンク基準信号（例えば、基準信号４１２および５１６）の受信品質を測定する。本発明の一実施形態では、第１の周波数部分は、各通信システムに準拠した最小帯域幅においてキャリア周波数の周辺に位置する周波数部分であってよい。本発明の別の一実施形態では、第１の周波数部分は、上記よりも大きい周波数領域であってよく、あるいは小さい周波数領域であってもよいことについて理解されたい。第１の測定に対して第１の周波数部分を用いることによって、ＵＥ１０２が、同一の測定手順を用いてあり得る全ての通信システム帯域幅（本発明の一実施形態では、この表現は、無線セルによって用いられる周波数領域全体を示している）に対する受信品質を取得できるという効果が得られる。さらに、例えば同一のキャリア周波数を用いる、受信可能な全ての無線セルの受信品質は、用いられる通信システム帯域幅とは無関係に同時に測定される。これによって時間が節約され、またＵＥ１０２のバッテリーが温存される。
【００５７】
参照符号６０４では、その受信信号の受信品質が十分に高い無線セルが決定される。
【００５８】
次に、参照符号６０６において、ＵＥ１０２は、その受信信号が十分に高い受信品質を有していることが参照符号６０４において決定された無線セルに対して、第２の測定を行うことができる。本発明の一実施形態では、第２の測定は、第１の測定において用いられた第１の周波数部分よりも大きい帯域幅を有する（言い換えると、帯域幅が増大している）第２の周波数部分において行うことができる。本発明の一実施形態では、受信品質は、（第１の周波数部分よりも）大きい帯域幅あるいは帯域幅全体において伝送された基準信号を用いて、第２の測定において決定される。
【００５９】
測定結果は、周波数帯域部分ごとに別々に評価される。本発明の一実施形態では、その受信品質が所定の閾値以上である各無線セルの周波数帯域部分の数が決定される。参照符号６０４において無線セルが決定されなかった場合（言い換えると、全ての受信信号の受信品質が足りない場合（例えば、受信品質が所定の閾値よりも小さい場合））、第２の測定は行われない。これによって、ＵＥ１０２のバッテリーが温存される。この場合、本発明の一実施形態では、この時点において適切な無線セルを決定することができない。
【００６０】
参照符号６０８において、適切な無線セルが決定される。本発明の一実施形態では、無線セルのうち第２の測定が行われた無線セルは、所定の閾値以上の受信品質を有する周波数帯域部分の数が、現時点でＵＥ１０２によって用いられている周波数帯域部分の数以上である、適切な無線セルであると考えられる。言い換えると、本発明の一実施形態では、十分に大きい帯域幅において十分に高い受信品質を有する無線セルが適切であると考えられる。
【００６１】
本発明の一実施形態では、適切であると決定された無線セルのみが、例えばシグナリングメッセージ６１０として、無線通信ネットワーク（例えば基地局１１０、１１２、および１１４）にシグナリングされる。これによって、シグナリング量を大幅に低減することができる。
【００６２】
本発明の一実施形態では、参照符号６１２において、無線通信ネットワーク（例えば基地局１１０、１１２、および１１４）が上記シグナリングメッセージを受信し、そして、例えば関連する無線ネットワークコントローラ（図示せず）が、シグナリングメッセージ６１０としてシグナリングされた適切な無線セルに従って、無線通信ネットワーク（例えば基地局１１０、１１２、および１１４）を制御する。
【００６３】
この手順は、例えば複数の所定の閾値を用い、そして帯域幅を変える（例えば、各段階において単調に拡張する）ことによって、３つ以上の段階において繰り返し行うことができることについて理解されたい。
【００６４】
より詳細には、本発明のこの実施形態は、１つ以上の以下の特性を有している：
１）異なる帯域幅を用いて、測定を２つ以上の測定に分割することができる。第１の測定は、より小さい帯域幅（例えば、通信システム内において生じる帯域幅と同程度に小さいか、あるいは開始値である所定の初期帯域幅と同程度に小さい）を用いて行うことができる。
２）本発明の一実施形態では、通信端末（例えばＵＥ１０２）が基準信号の測定のために用いる帯域幅を、（例えば通信ネットワークによって）シグナリングすることができる。
３）第２の測定は、第１の測定において十分に高い受信品質を有しているという結果が出された無線セルに対して行うことができる。この場合、適切な周波数帯域部分（または帯域幅）の数が決定される。すなわち、所定の閾値以上の受信品質を有する周波数帯域部分の数が決定される。
４）本発明の一実施形態では、適切な周波数帯域部分（または適切な帯域幅）の数に基づいて、無線セルの適切性が評価される。
５）本発明の一実施形態では、適切な無線セルが移動無線通信ネットワークにシグナリングされる。本実施形態では、測定される信号量の詳細なシグナリングは不要である。
【００６５】
図７は、本発明の一実施形態に係る、無線通信機器における受信品質の決定方法のメッセージフロー図７００を示している。
【００６６】
本実施形態では、所定の信号の受信電力が測定されて、無線セルの適切性の決定において用いられると見なされる。しかし本実施形態は、別の一実施形態において、所定の信号の受信電力と、同一の周波数帯域において受信されたノイズ電力との比が用いられる場合においても、適用することができる。
【００６７】
本実施形態について、さらに図１を参照しながら説明する。本発明の一実施形態では、適切な移動無線セルを決定するために受信信号強度を測定する方法は、以下に説明する通りである。
【００６８】
参照符号７０２において、移動無線通信ネットワークが、ＵＥ１０２に第１のメッセージ７０４を伝送する。移動無線通信ネットワークは、第１のメッセージ７０４を用いて、近隣の移動無線セルから受信した信号の強度を測定するようにＵＥ１０２に要求する。本発明の一実施形態では、第１のメッセージ７０４は、測定される移動無線セルのリスト（例えば、いわゆるセルＩＤ）を含んでおり、また各移動無線セルに対して、例えば各移動無線セルによって用いられるキャリア周波数、第２の測定に用いられる帯域幅、および同期信号および基準信号に対して用いられるコードの識別を含んでいる。本発明の一実施形態では、第１のメッセージ７０４は、測定される各移動無線セルに対して、第１の測定および／または第２の測定に用いられる少なくとも１つの帯域幅を含んでいる。本発明の別の一実施形態では、第１のメッセージ７０４内にその他任意の適切な情報を含ませることができる。さらに、第１のメッセージ７０４を複数のメッセージに分割して、上述の情報が複数のメッセージを用いてＵＥ１０２に伝送されるようにしてもよい。
【００６９】
本発明の一実施形態では、第１のメッセージ７０４が受信された後、参照符号７０６において、ＵＥ１０２が、まずＰ−ＳＣＨおよびＳ−ＳＣＨが伝送される或るタイムスロットにおける第１のキャリア周波数ｆ１と、受信されたこれら同期信号の電力および第１のキャリア周波数ｆ１周辺の６つのリソースブロック内に配置された基準信号の電力とを測定する。
【００７０】
第１のキャリア周波数ｆ１に対する第１の測定のための受信ウィンドウ８０２の位置は、図８のダイアグラム８００に示されている。本発明の一実施形態では、ＵＥ１０２は、受信機内における相関関係のために、これ以前に受信されたメッセージ（例えば第１のメッセージ７０４）からのコードを用いる。従って、まず、全ての移動無線セルの受信電力が測定され、そして第１のメッセージ７０４に従って、例えば第１のキャリア周波数ｆ１を用いて伝送する。
【００７１】
次に、参照符号７０８において、第２のキャリア周波数ｆ２に対して、同一サイズの受信ウィンドウ８０４を用いた同一の測定を行うことができる。各移動無線セルからの測定値は、収集して、必要に応じて１つ以上の値に統合することができる。本発明の一実施形態では、各移動無線セルに対して、収集された値から統計平均が決定される。
【００７２】
次に、ＵＥ１０２は、統合された値（あるいは、本発明の別の一実施形態では、統合された全ての値）と所定の閾値とを比較する。受信電力が所定の閾値未満の移動無線セルは、不適切であると分類される。一例として、第１の測定の測定結果が以下の表１に示されている。
【００７３】
【表１】
0004874308.tif 000002
本実施形態では、移動無線セルは、受信電力が−７０ｄＢｍよりも高い場合は、‘適切である’との分類がなされる。この例では、参照符号７１０において、第１の移動無線セルＭＦＺ１  １０４および第２の移動無線セルＭＦＺ２  １０６は、測定された電力がそれぞれ所定の閾値よりも高いため、適切な移動無線セルであると分類される。
【００７４】
残りの移動無線セル（例えば、第１の移動無線セルＭＦＺ１  １０４および第２の移動無線セルＭＦＺ２  １０６）に対しては、参照符号７１２において、各第２の測定を行うことができる。本発明の一実施形態では、（例えば第１のメッセージ７０４を用いて）ＵＥ１０２にシグナリングされた帯域幅を、第２の測定において用いることができる。図９のダイアグラム９００に示されているように、他の受信ウィンドウ９０２および９０４内において、受信された全ての基準シンボルの電力が測定される。図９は、これらの第２の測定に用いる他の受信ウィンドウ９０２および９０４の位置を示している。他の受信ウィンドウ９０２および９０４は、例えば第１のメッセージ７０４を用いて、ＵＥ１０２にシグナリングされた各帯域幅に適合される。本発明のこの実施形態では、他の受信ウィンドウ９０２および９０４は、各移動無線セルの各システム帯域幅に適合される。従って、第１の他の受信ウィンドウ９０２は、第１の移動無線セル１０４のシステム帯域幅に適合され、第２の他の受信ウィンドウ９０４は、第２の移動無線セル１０６のシステム帯域幅に適合される。
【００７５】
リソースブロックの４つの基準シンボルの受信電力が、それぞれ統合される。第１の移動無線セルＭＦＺ１  １０４の測定結果は、以下の表２に典型例として示されている。
【００７６】
【表２】
0004874308.tif 000003
表２に示されているように、この例では、第１の移動無線セルＭＦＺ１  １０４の６つのリソースブロック（リソースブロック番号４、５、６、７、８、および９）が、所定の閾値である−７０ｄＢｍよりも高いため、適切であると分類される。
【００７７】
さらに、第２の移動無線セルＭＦＺ２  １０６の測定結果が、以下の表３に典型例として示されている。
【００７８】
【表３】
0004874308.tif 000004
表３に示されているように、この例では、第２の移動無線セルＭＦＺ２  １０６の３つのリソースブロック（リソースブロック番号１１、１２、１３）が、所定の閾値である−７０ｄＢｍよりも高いため、適切であると分類される。
【００７９】
次に、参照符号７１４において、ＵＥ１０２は、各移動無線セルに対して、所定の閾値である−７０ｄＢｍよりも高い周波数帯域部分の数を計算する。前述したように、第１の移動無線セルＭＦＺ１  １０４に対しては、６つのリソースブロックが適切であると分類され、第２の移動無線セルＭＦＺ２  １０６に対しては、３つのリソースブロックが適切であると分類される。
【００８０】
参照符号７１６において、移動無線セルが分類される。本発明の一実施形態では、移動無線セルは、所定の閾値よりも高い電力を有して受信された周波数部分（例えばリソースブロック）の数が、ＵＥ１０２によって現在用いられているリソースブロックの数よりも小さい場合は、不適切であると分類される。本発明の一実施形態では、ＵＥ１０２は現在５つのリソースブロックを使用していると見なされる。従って、本実施形態では、第１の移動無線セルＭＦＺ１  １０４のみが適切な移動無線セル（適切なリソースブロックは６つ）であると分類され、第２の移動無線セルＭＦＺ２  １０６は不適切な移動無線セル（適切なリソースブロックは３つのみである）であると分類される。
【００８１】
次に、参照符号７１８において、適切であると分類される（複数の）移動無線セル（上述の実施例では、第１の移動無線セルＭＦＺ１  １０４）が、適切な移動無線セルとして、移動無線通信ネットワークにシグナリングされる。このために、本発明の一実施形態では、ＵＥ１０２から第２のメッセージ７２０が生成される。第２のメッセージ７２０は、適切な移動無線セルを一意的に示すインデックスを含んでいる。第２のメッセージ７２０は、ＵＥ１０２から、例えば基地局１１０、１１２、および１１４を介して、移動無線通信ネットワークへ伝送される。本発明の一実施形態では、第１の移動無線セルＭＦＺ１  １０４のセルＩＤが、第２のメッセージ７２０内においてシグナリングされる。
【００８２】
移動無線通信ネットワーク（例えば無線ネットワークコントローラ（ＲＮＣ））は、第２のメッセージ７２０（シグナリングメッセージとも称される）の受信後、適切な移動無線セルに関するこの情報を用いて、現在機能しているＵＥ１０２のセル（図示せず）を第１の移動無線セルＭＦＺ１  １０４に変える（ハンドオーバーとも称される）ことができる。
【００８３】
図１０は、本発明の一実施形態に係る、移動無線セルにおける周波数帯域測定のシグナリング方法のメッセージフロー図  １０００を示している。
【００８４】
ＵＥ１０２が移動無線セルとの通信接続を確立し、当該移動無線セルからの測定を行ってデータ伝送に最適な周波数帯域部分を決定する必要がある場合は、本発明の一実施形態に係る以下の方法が提供される。
【００８５】
参照符号１００２において、ＵＥ１０２は、受信信号の複数の周波数帯域部分あるいは全ての周波数帯域部分において、周波数を選択的に測定することによって基準信号の受信品質を決定する。すなわち、ＵＥ１０２は、複数の周波数帯域部分ごとに別々に受信品質を決定する。本発明の一実施形態では、測定される周波数帯域部分の数は、ＵＥ１０２の帯域幅要件に依存していてよく、言い換えると、用いられるサービス（例えば用いられる通信サービス）に依存していてよい。
【００８６】
ＵＥ１０２は、参照符号１００２において受信品質の決定に際して行った測定の結果を用いて、参照符号１００４において、最適な周波数帯域部分を決定する。言い換えると、ＵＥ１０２は、最高の受信品質を有する周波数帯域部分、例えば３つの「最良」（最適）周波数帯域部分（本発明の別の一実施形態では、４つ、５つ、６つ、７つ、８つ、…の最良の周波数帯域部分）を決定する。本発明の一実施形態では、決定される「最良」（最適）周波数帯域部分の数は、ＵＥ１０２の帯域幅要件に依存していてよい。
【００８７】
次に、参照符号１００６において、ＵＥ１０２は、決定された「最良」（最適）周波数帯域部分を一意的に示すインデックスを決定する。
【００８８】
次に、参照符号１００８において、ＵＥ１０２は、決定された「最良」（最適）周波数帯域部分を一意的に示すインデックスを、インデックスメッセージ１０１０として、移動無線通信ネットワークに伝送する。
【００８９】
移動無線通信ネットワーク（例えば無線ネットワークコントローラ（ＲＮＣ））は、参照符号１０１２においてインデックスメッセージ１０１０を受信した後、データ伝送用としてどの周波数帯域部分をＵＥ１０２に割り当てるかを決定することができる。
【００９０】
上述の実施形態において要するシグナリング費用は非常に低い。
【００９１】
適切な周波数帯域部分を選択するために、本発明の一実施形態に係る以下の手順が提供される:
１）ＵＥは、移動無線セルの２つ以上の周波数帯域部分における受信品質を決定する。
２）ＵＥによって現在使用されている周波数帯域部分（または帯域幅）の数以上である「ｎ」個の最も強い周波数帯域部分が、移動無線通信ネットワークにシグナリングされる。
【００９２】
図１１は、本発明の一実施形態に係る、移動無線セル内における周波数帯域測定のシグナリング方法のメッセージフロー図  １１００を示している。以下に説明する実施形態は、現在使用されているセル（機能中のセル）の測定を示している。
【００９３】
本発明のこの実施形態は、（一般的な適用性を限定することなく、）所定の信号の受信電力と、同一の周波数帯域において受信されたノイズ電力との比が、周波数帯域部分を使用できるか否かに関する決定のために用いられると見なすことから始まる。しかし、本実施形態は、上記比の代わりに所定の信号の受信電力が用いられる場合においても適用可能である。
【００９４】
本発明の一実施形態では、ＵＥ１０２が現在第１の移動無線セルＭＦＺ１  １０４に接続されていると見なされる。以下では、最適な周波数帯域部分を見出し、それらに関して移動無線通信ネットワークに知らせるための、ダウンリンク信号の測定手順（例えば、ＬＴＥダウンリンク信号の測定手順）についてより詳細に説明する。
【００９５】
参照符号１１０２において、ＵＥ１０２は、或るタイムスロット内における全てのリソースブロック、すなわちシステム帯域幅全体において、受信された基準シンボルの電力を測定する。測定のための受信ウィンドウ１２０２の位置は、図１２のダイアグラム１２００に示されている。図１２に示されているように、受信電力は、リソースブロック毎に別々に決定される。
【００９６】
次に、必要に応じて、参照符号１１０４において、或るリソースブロックの受信された４つの基準シンボルの測定された電力が、それぞれ統合される。本発明の一実施形態では、受信された４つの基準シンボルの測定された電力からの統計平均が、各リソースブロックに対して決定される。
【００９７】
次に、参照符号１１０６において、ＵＥ１０２は、各リソースブロックの受信されたノイズ電力を、受信ウィンドウ１２０２内において測定する。
【００９８】
次に、参照符号１１０８において、ＵＥ１０２は、各リソースブロックの信号対ノイズ比を決定する。すなわち、ＵＥ１０２は、基準信号の測定された電力と、測定された雑音電力との商を決定する。
【００９９】
次に、参照符号１１１０において、信号対雑音比が所定の信号対ノイズ閾値よりも高い周波数帯域部分が、その信号対ノイズ比の量によってソートされる。ソートされた測定結果は、以下の表４に示されている:
【０１００】
【表４】
0004874308.tif 000005
表４に示されているように、測定結果は、測定された信号対ノイズ比の量によってソートされる。この例では、６つのリソースブロックが、信号対ノイズ閾値である−５ｄＢよりも高い信号対ノイズ比を有している。表４において印が付されている（太字にして下線が引かれている）４つの最も強い周波数帯域部分（周波数帯域部分７、６、８、５）のインデックスは、移動無線通信ネットワークにシグナリングされる。これについては、以下により詳しく説明する。
【０１０１】
参照符号１１１２では、信号対ノイズ比の最も高いｎ個（ｎは、任意に設定可能な数）の周波数帯域部分（例えばリソースブロック）のインデックスが、移動無線通信ネットワークに伝送される。本発明の一実施形態では、上記インデックスを含むインデックスメッセージ１１１４が生成され、ＵＥ１０２から移動無線通信ネットワークへ伝送される。本発明の一実施形態では、インデックスの数は、ＵＥ１０２によって現在使用されているリソースブロックの数に依存していてよい。本発明の一実施形態では、ＵＥ１０２によって現在使用されている数よりも多い数のインデックスが、移動無線通信ネットワークにシグナリングされるようにすることができる。
【０１０２】
移動無線通信ネットワークは、参照符号１１１６においてインデックスメッセージ１１１４を受信した後、ＵＥ１０２に割り当てるリソースブロックを選択することができる。この例では、ＵＥ１０２は、２つのリソースブロックを用いている。４つの最良のリソースブロック（この例では、リソースブロック番号７、６、８、および５）、すなわち必要な数よりも２つ多いリソースブロックがシグナリングされる。従って移動無線通信ネットワークは、４つのリソースブロックのうち２つのリソースブロックを自身で選択し、それらをＵＥ１０２に割り当てるという選択肢を有している。
【０１０３】
通信端末装置（例えばＵＥ）がダウンリンク基準信号（例えば、ＬＴＥダウンリンク基準信号）測定のために用いるべき帯域幅を決定するために、本発明の様々な実施形態において、以下の方法の１つ以上を用いることができる。
【０１０４】
１）帯域幅は、例えば隣接するセルの測定をＵＥに要求するメッセージ（例えば「測定コントロール」メッセージ）として、移動無線通信ネットワークからＵＥへ明示的にシグナリングすることができる。このメッセージは、移動無線通信ネットワークからＵＥへ伝送される。このメッセージはまた、本発明の一実施形態によると、測定される隣接するセルの識別に加えて、測定されるダウンリンク基準信号の帯域幅を含んでいてよい。こうすることによって、ＵＥは、測定前に帯域幅を知ることができるため、測定を迅速に行うことができる。さらに、帯域幅を各ＵＥに個々にシグナリングすることができる。
【０１０５】
２）帯域幅は、陰的にシグナリングすることができる。この場合、本発明の一実施形態では、測定される移動無線セルが伝送する確定信号（definite signal）は、例えば同期信号（Ｐ−ＳＣＨおよび／またはＳ−ＳＣＨ）内および／または基準信号内、および／または放送チャネル（broadcast channel：ＢＣＨ）を介して、ダウンリンク基準信号が測定されるべき帯域幅の情報を含んでいる。この方法によって、この情報を各ＵＥに別々に送ることなく、用いられる帯域幅に関して非常に多数のＵＥに知らせることができる。
【０１０６】
３）帯域幅の決定は、ブラインド・デコーディング（blind decoding）によって行われる。この方法によると、帯域幅のシグナリングのために特定の信号が伝送されることはない。ＵＥは、ダウンリンク基準信号を測定するための帯域幅を、あり得る最小の帯域幅または所定の開始帯域幅値から段階的に拡張する。帯域幅が拡張されても新しい信号が測定されない場合、言い換えると、測定に用いられる相関符号に適した信号が含まれていない場合、本測定方法は停止される。本方法では、シグナリングを行う必要はない。
【０１０７】
本発明の一実施形態では、受信信号の受信品質に基づいて、適切な無線セルおよび適切な周波数帯域部分を選択する方法、および、スケーラブルシステム帯域幅を有し、周波数帯域部分が柔軟に割り当てられる移動無線通信システム内における移動無線通信ネットワークに結果をシグナリングする方法が提供される。
【０１０８】
本発明の一実施形態では、例えばＬＴＥにおいて、スケーラブル帯域幅を特に考慮して、効果的かつ迅速に測定を行うことのできる方法が提供される。
【０１０９】
図１３は、本発明の一実施形態に係る、無線通信機器における受信品質の決定方法のメッセージフロー図  １３００を示している。
【０１１０】
参照符号１３０２では、無線信号が受信される。
【０１１１】
次に、参照符号１３０４において、受信された無線信号の受信品質が測定される。当該測定では、第１の周波数帯域幅を用いて第１の測定が行われ、これによって第１の受信品質が決定され、決定された第１の受信品質が第１の受信品質規準を満たしている場合は、上記第１の周波数帯域幅よりも大きい第２の周波数帯域幅を用いて第２の測定が行われ、これによって第２の受信品質が決定される。
【０１１２】
本発明の一実施形態では、第１の測定を複数の無線セルに対して行うことができる。さらに、上記第１の測定を、各第１の測定が複数のキャリア周波数の各キャリア周波数周辺の第１の周波数帯域幅を用いて行われるように、複数のキャリア周波数に対して行うことができる。本発明の一実施形態では、信号は、マルチキャリア移動無線通信伝送（例えば、マルチキャリア直交周波数分割多重アクセス移動無線通信伝送のようなマルチキャリア周波数分割多重アクセス移動無線通信伝送）に準拠して、受信される。本発明の一実施形態では、信号は、第３世代パートナーシッププロジェクト通信規格（例えばユニバーサルモバイルテレコミュニケーションシステム通信規格）に準拠して、受信される。
【０１１３】
図１４は、本発明の一実施形態に係る、移動無線セルにおける周波数帯域測定のシグナリング方法のメッセージフロー図  １４００を示している。
【０１１４】
参照符号１４０２において、無線信号が受信される。
【０１１５】
参照符号１４０４において、受信された無線信号の受信品質が測定される。
【０１１６】
参照符号１４０６において、所定の周波数帯域部分の受信品質規準を満たしている複数の周波数帯域部分が決定される。
【０１１７】
参照符号１４０８において、決定された各周波数帯域部分が、決定された各周波数帯域部分を示す各周波数帯域部分インデックス上にマッピングされる。
【０１１８】
参照符号１４１０において、決定された周波数帯域部分を示す周波数帯域部分インデックスが、通信機器に伝送される。
【０１１９】
本発明の一実施形態では、受信された無線信号が最高の受信品質を示す所定数の周波数帯域部分が決定される。
【０１２０】
本発明について、具体的な実施形態を参照しながら具体的に図示および説明したが、当業者は、特許請求の範囲によって規定される本発明の精神および範囲から逸脱することなく、その形式および詳細に様々な変更を加えることができることを理解されたい。従って、本発明の範囲は特許請求の範囲によって示されるものであり、当該請求項に相当する意義および範囲内において成される全ての変更は、本発明の範囲に含まれる。
【図面の簡単な説明】
【０１２１】
【図１】適切な無線セルを決定するための受信品質測定中における、本発明の一実施形態に係る無線通信機器および複数の無線セルを含む無線セル構成を示す図である。
【図２】本発明の一実施形態に係る無線通信端末装置を示す図である。
【図３】本発明の別の実施形態に係る無線通信端末装置を示す図である。
【図４】本発明の一実施形態に係るダウンリンク無線信号のフレーム構造を示す図である
【図５】本発明の一実施形態に係るスケーラブル帯域幅を有する通信システム内における同期信号および基準信号の一部を示す図である。
【図６】本発明の一実施形態に係る無線通信機器における受信品質の決定方法のメッセージフロー図である。
【図７】本発明の一実施形態に係る無線通信機器における受信品質の決定方法のメッセージフロー図である。
【図８】本発明の一実施形態に係る無線通信機器における第１の測定のための受信ウィンドウを示す図である。
【図９】本発明の一実施形態に係る無線通信機器における第２の測定のための受信ウィンドウを示す図である。
【図１０】本発明の一実施形態に係る移動無線セル内における周波数帯域測定のシグナリング方法のメッセージフローの図である。
【図１１】本発明の一実施形態に係る移動無線セル内における周波数帯域測定のシグナリング方法のメッセージフローの図である。
【図１２】本発明の一実施形態に係る無線通信機器内における測定のための受信ウィンドウを示す図である。
【図１３】本発明の一実施形態に係る無線通信機器における受信品質の決定方法のメッセージフローの図である。
【図１４】本発明の一実施形態に係る移動無線セル内における周波数帯域測定のシグナリング方法のメッセージフローの図である。
【図１】
0004874308.tif 000006
【図２】
0004874308.tif 000007
【図３】
0004874308.tif 000008
【図４】
0004874308.tif 000009
【図５】
0004874308.tif 000010
【図６】
0004874308.tif 000011
【図７】
0004874308.tif 000012
【図８】
0004874308.tif 000013
【図９】
0004874308.tif 000014
【図１０】
0004874308.tif 000015
【図１１】
0004874308.tif 000016
【図１２】
0004874308.tif 000017
【図１３】
0004874308.tif 000018
【図１４】
0004874308.tif 000019